(57)【要約】【課題】  既製服を試着者の寸法に応じて補整する際に、既製服に服飾品が形成されていると、既製服の補整が実際上不可能である。【解決手段】  既製服の袖に第１の開口を形成し、前記袖の袖口を前記開口から引き出して裏返し、この裏返しされた袖口の裏地を表地から取り外し、次いで袖口の表地を平面状に押し広げ、この平面状に押し広げた袖口の表地に服飾品を形成する。その結果従来既製服の補整の際に不可能であった袖口に服飾品を形成することが簡易にできる。【選択図】    図７
2006077383.tif 000002
【特許請求の範囲】
【請求項１】
裏地が被着されている既製服の袖の裏地の縫い合わせ面に第１の開口を形成する工程と
前記既製服の袖丈を被着者の寸法に応じて詰めるために前記袖丈の袖口を切断する工程と、
前記切断した袖口を、前記第１の開口から引き出して裏返しにする工程と、
前記裏返しされた袖口の裏地を表地から取り外す工程と
前記裏地が取り外された袖口の表地を平面状態にして表地の表面を露呈する工程と、
この平面状態に露呈された表地の表面に、所要の服飾品を形成する工程とからなることを特徴とする、既製服の袖口に服飾品を形成する方法。
【請求項２】
裏地が被着されている既製服の袖の裏地の縫い合わせ面に第１の開口を形成する工程と
前記既製服の袖丈を被着者の寸法に応じて詰めるために前記袖丈の袖口を切断する工程と、
前記切断した袖口を、前記第１の開口から引き出して裏返しにする工程と、
前記裏返しされた袖口の裏地を表地から取り外す工程と
前記裏地が取り外された袖口の表地を平面状態にして表地の表面を露呈する工程と、
この平面状態に露呈された表地の表面に、所要の服飾品を形成する工程と、
この所要の服飾品が形成された袖口の表地の裏面に、前記第１の開口より離れた位置に第２の開口を残して、裏地を縫い合わせる工程と、
前記袖口の表地の表面に服飾品が形成された袖口を、前記第１の開口から押し出し表裏正常に戻す工程と、
前記第１の開口が形成されている第１の開口部を前記第２の開口から引出し、第１の開口を縫い合わせて第１の開口を閉鎖する工程と、
この縫い合わされた第１の開口部を、第２の開口から押し出し元の状態に戻す工程と、
この第１の開口部が元の状態に戻ってから、前記第２の開口を縫い合わせて第２の開口を閉鎖する工程、
とからなることを特徴とする、既製服の袖口に服飾品を形成する方法。
【請求項３】
前記既製服は、女子用スーツ、女子用カジュアルスーツであることを特徴とする、請求項１記載の既製服の袖口に服飾品を形成する方法。
【請求項４】
前記既製服は、男子用スーツ、男子用カジュアルスーツであることを特徴とする、請求項１記載の既製服の袖口に服飾品を形成する方法。
【請求項５】
前記既製服の袖口に形成される服飾品は、ミシンで形成することを特徴とする、既製服の袖口に服飾品を形成する方法。
【発明の詳細な説明】
【発明の詳細な説明】
【技術分野】
【０００１】  本発明は既製服を補整する際に、既製服の袖口に所要の服飾品を簡易に且つ迅速に形成する方法に関するものである。
【背景技術】
【０００２】  現在被服販売店において、既製服を購入する者は、店内で自ら試着して試着者の身体に応じて既製服の袖の端部（袖口）を詰めること（被服の補整という）により、試着者の身体にフィットすることを確かめてから既製服を購入しているのが通例である。
そのため被服販売店では試着者の身体の寸法に応じて既製服の袖の端部を詰める作業（補整作業）を実施している。
【発明が解決しようとする課題】
【０００３】  このような補整作業の際には、既製服（例えば女性用スーツ）の袖口にはボタンしか縫着されていないのが通例である。しかし最近この袖口に新たにに装飾品（服飾品）を縫着して形成することにより高級感をもたせたり、他人の被服と差別化したりして体裁をよくするという要請が起こってきた。
前記既製服の袖口に縫着して形成される服飾品は、図１２に示されるようなもので、（Ａ）、（Ｅ）に示されるものはボタンホールと通称され、（Ｂ）、（Ｃ）、（Ｄ）に示されるものは切羽と称されるもので、服飾品はこの切羽とボタンホールが主な形状である。
図１０には既製服の袖口１０２が示されており、前記切羽１０２を既製服の袖口１０１に縫着して形成したものであり、図１１に示されたものはボタンホール１０３を既製服の袖口１０１に縫着して形成したものである。
この袖口１０１に形成される服飾品は、既製服を製造する工場で平板状の生地の段階で既製服の袖口に縫着して形成し、その平板状の生地を筒状に丸めて既製服に仕上げていた。この袖口に服飾品が形成された既製服を補整するのである。
しかし袖口１０１に服飾品が形成されている既製服を補整する際には、次のような問題点がある。
袖口１０１にボタンホール１０３が形成されている場合には、ボタン穴があいているため、ボタンホールの移動が困難で、むりに移動すれば袖口１０１の生地にきずを生じさせてしまう。
また袖口１０１に切羽１０２が形成されている場合には、麻、綿等の比較的軟らかい生地の場合には袖口１０１の生地を損傷させてしまう。
このような問題点があるため、袖口１０１に服飾品が形成されている既製服を補整することは実際上不可能であった。
そのため既製服を仕上げる段階では既製服の袖口１０１に服飾品を形成せず、既製服の補整の段階で被服の袖口１０１に服飾品を形成する方法が開発された。
本発明は、上記のような事情からなされたもので、既製服の補整の際に迅速に且つ効率的に既製服の袖口１０１に服飾品を形成できるようにしたものである。
【課題を解決するための手段】
【０００４】  本発明は、裏地が被着されている既製服の袖の裏地の縫い合わせ面に第１の開口を形成する工程と
前記既製服の袖丈を被着者の寸法に応じて詰めるために前記袖丈の袖口を切断する工程と、
前記切断した袖口を、前記第１の開口から引き出して裏返しにする工程と、
前記裏返しされた袖口の裏地を表地から取り外す工程と
前記裏地が取り外された袖口の表地を平面状態にして表地の表面を露呈する工程と、
この平面状態に露呈された表地の表面に、所要の服飾品を形成する工程、とからなることを特徴とする、既製服の袖口に服飾品を形成する方法を提供することによって、達成される。
また本発明は、裏地が被着されている既製服の袖の裏地の縫い合わせ面に第１の開口を形成する工程と
前記既製服の袖丈を被着者の寸法に応じて詰めるために前記袖丈の袖口を切断する工程と、
前記切断した袖口を、前記第１の開口から引き出して裏返しにする工程と、
前記裏返しされた袖口の裏地を表地から取り外す工程と
前記裏地が取り外された袖口の表地を平面状態にして表地の表面を露呈する工程と、
この平面状態に露呈された表地の表面に、所要の服飾品を形成する工程と、
この所要の服飾品が形成された袖口の表地の裏面に、前記第１の開口より離れた位置に第２の開口を残して、裏地を縫い合わせる工程と、
前記袖口の表地の表面に服飾品が形成された袖口を、前記第１の開口から押し出し表裏正常に戻す工程と、
前記第１の開口が形成されている第１の開口部を前記第２の開口から引出し、第１の開口を縫い合わせて第１の開口を閉鎖する工程と、
この縫い合わされた第１の開口部を、第２の開口から押し出し元の状態に戻す工程と、
この第１の開口部が元の状態に戻ってから、前記第２の開口を縫い合わせて第２の開口を閉鎖する工程、
とからなることを特徴とする、既製服の袖口に服飾品を形成する方法を提供することによって、達成される。
また本発明は、前記既製服が、女子用スーツ、女子用カジュアルスーツであることを特徴とする、請求項１記載の既製服の袖口に服飾品を形成する方法を提供することによって達成される。
また本発明は、前記記既製服が、男子用スーツ、男子用カジュアルスーツであることを特徴とする、請求項１記載の既製服の袖口に服飾品を形成する方法を提供することによって達成される。
また本発明は、  前記既製服の袖口に形成される服飾品を、ミシンで形成することを特徴とする、既製服の袖口に服飾品を形成する方法を提供することによって達成される。
【発明を実施するための最良の形態】
【０００５】  以下、本発明の実施の形態を図面を参照して詳しく説明する。
図１は本発明の一実施例の説明図であり、図中１は既製服の一例である女性用スーツの片面の表面を示すものである。２は前記女性用スーツ１の袖丈を示す。３は袖丈（以下袖という）表地である。この表地３の裏側には図２，３，４，５に示すように裏地４が縫着されている。前記袖の下端部は図１に示すように袖５で、その袖口の下端は袖先６となっている。
図２は前記女性用スーツ１表面側をカットした女性用スーツ１後面側を示すもので、女性用スーツ１の前記裏地４の縫い目８の任意の箇所には、第１の開口９が形成されている。【０００６】  次に既製服１の袖口５に服飾品を形成する方法を説明する。前記女性用スーツ１の袖２の袖口５を約２０センチメートル詰める場合を考える。
その場合、図１に示されるように先ず表地３及び裏地４（図２）の袖口５を点線７に示すように１５センチメートル程度カットし、さらに裏地４のみ約５センチメートル実線のようにカットする。次いで約１５センチメートル切断した表地３を５センチメートル程度折り曲げ、この折り曲げた箇所に芯（図示せず）を挿入し袖口５を安定させる。この芯が挿入された袖口５を、図３に示すように点線矢印のように第１の開口９から引き出すと、図４に示されるように女性用スーツ１の袖の約半分と袖口５が引き出されて裏返しの状態で露出される。
この前記第１の開口９から引き出された袖口５の近傍の表地３と裏地４とが縫着されている部分を、図５に示すように裏地４を表地３から取り外し、袖口５の近傍の部分の表地３と裏地４とを分離する。この裏地４を表地３から取り外すと、袖口５は図６，７に示されるように筒形状から平面状に押し広げられる。この平面状に押し広げた状態で表地３の裏側３ｂを裏返しにして表側３ａを露呈する。【０００７】  この平面状に露呈された表地３の表側３ａにミシン等の縫製具１１で、服飾品１１であるボタンホール、切羽等を形成する。この場合表地３の表側３ａは平面状に押し広げてあるので、簡易に熟練者も必要とせず迅速にミシン等で形成される。このように袖口５に服飾品１０が形成されてから、図８に示されるように袖口５を筒状に直し取り外されていた裏地４を表地３の裏側３ｂに取り付ける。この場合図９に示されるように袖口５の裏地４は、前記第１の開口より小さい第２の開口１２を残して表地３の裏側３ｂを縫合して取り付ける。
ついでこの裏返し状態で表地３と裏地４とが縫い合わされた袖口５を、前記第１の開口９から下方に押し出し表裏正常の状態に戻す。この袖口５が表裏正常の状態に戻ってから、前記第１の開口９が形成されている裏地４である第１の開口部９ａを、前記第２の開口１２から引き出し裏返し状態にして第１の開口９を縫い合わせ第１の開口９を閉鎖する。
この閉鎖された第１の開口９が形成されている第１の開口部９ａを、前記第２の開口１２から押し出し表裏正常の状態にもどす。最後に第２の開口を縫い合わせすることにより、袖口５に服飾品１０の形成方法が完了する。
【発明の効果】
【０００８】  以上説明したように、本発明は、既製服の袖の裏地の縫い合わせ面に第１の開口を形成し、試着者の寸法に応じて所要数の長さが切断された袖口を前記第１の開口から引き出して裏返し、次に裏返しされた裏地を表地から取り外して分離し、裏地を表地から取り外すことにより表地を平面状に押し広げ、この平面状に押し広げた表地の表面側に縫製具で服飾品を形成するようにしたので、従来既製服の補整の際に不可能であった袖口に服飾品を形成することが簡易できるという効果がある。
また表地を平面状に押し広げ、この平面状に押し広げた表地の表面側に縫製具で服飾品を形成するようにしたので、袖口に服飾品を形成することが迅速に効率的にできるという効果がある。
【図面の簡単な説明】
【図１】  本発明の一実施例である既製服の表面図である。
【図２】  本発明の一実施例である既製服の後面図である。
【図３】  本発明の一実施例である既製服の後面図である。
【図４】  本発明の一実施例である既製服の袖口を引き出したところの説明図である。
【図５】  本発明の一実施例である既製服の裏地を表地から取り外したところの説明図である。
【図６】  本発明の一実施例である既製服の裏地を表地から取り外した袖口のところの説明図である。
【図７】  本発明の一実施例である既製服の平面状態の表地に服飾品を形成するところの説明図である。
【図８】  本発明の一実施例である既製服に服飾品が形成された袖口を筒状体に直したところの説明図である。
【図９】  本発明の一実施例である既製服に第２の開口を形成した裏地の説明図である。
【図１０】  従来の既製被の袖口に服飾品を形成したところの説明図である。
【図１１】  従来の既製被の袖口に服飾品を形成したところの説明図である。
【図１２】  被服の袖口に形成される服飾品の種類の説明図である。
【符号の説明】
１      既製服
２      既製服の袖
３      既製服の袖の表地
４      既製服の袖の裏地
５      既製服の袖口
９      第１の開口
１０      服飾品
１１      縫製具
１２      第２の開口
【図１】
2006077383.tif 000003
【図２】
2006077383.tif 000004
【図３】
2006077383.tif 000005
【図４】
2006077383.tif 000006
【図５】
2006077383.tif 000007
【図６】
2006077383.tif 000008
【図７】
2006077383.tif 000009
【図８】
2006077383.tif 000010
【図９】
2006077383.tif 000011
【図１０】
2006077383.tif 000012
【図１１】
2006077383.tif 000013
【図１２】
2006077383.tif 000014